(57)【要約】【課題】タブとの接触安定性を確保する。【解決手段】雌端子金具１０は、相手側のタブ６１を挿入可能な箱形の本体部１１を備え、本体部１１内にはタブ６１に接触可能な接点部３２を突成した弾性接触片１２が設けられる。タブ６１は、金属板の幅方向両端部を板厚方向に折り返してその折り返しの端縁同士を向き合わせた形態とされる。接点部３２は、タブ６１が本体部１１に正規挿入されたときに、向き合わせ端６４を跨ぎつつタブ６１に対して平坦面３５でフラットに当たり合う。したがって、接点部３２に対して向き合わせ端６４によるエッジ６７の作用が効くことはなく、接点部３２に筋がついたりするのを防止できる。【選択図】図２
2008117554.tif 000002
【特許請求の範囲】
【請求項１】
相手側のタブを挿入可能な箱形の本体部を備え、前記本体部内には前記タブに接触可能な接点部を突成した接触片が設けられ、前記タブは、金属板の幅方向両端部を板厚方向に折り返してその折り返しの端縁同士を向き合わせた形態とされ、かつ、その向き合わせ端を前記接点部側へ向けつつ前記本体部に挿入されるものであって、
前記接点部は、前記タブが前記本体部に正規挿入されたときに、前記向き合わせ端を跨ぎつつ前記タブに対してフラットに当たり合うことを特徴とする端子金具。
【請求項２】
前記接点部は前記タブの幅方向中央部に当接され、前記本体部の内面のうち前記タブを挟んで前記接点部と対向する内面には、前記タブをその幅方向両側部にて当接支持する一対の受け部が突設されていることを特徴とする請求項１に記載の端子金具。
【請求項３】
前記接点部の前記平坦面は、前記タブの挿入始端から挿入終端にかけて次第に幅広に形成されることを特徴とする請求項１または請求項２に記載の端子金具。
【発明の詳細な説明】
【技術分野】
【０００１】
本発明は、端子金具に関する。
【背景技術】
【０００２】
端子金具として特許文献１に記載のものが知られている。これは、図５で模式的に示すように、相手側のタブ２が挿入可能とされる箱形の本体部３を備えた雌端子金具４であって、本体部３内には弾性接触片５が撓み変形可能に形成されている。弾性接触片５の上面には突曲面を有する接点部６が突成されており、本体部３の内面のうち接点部６と対向する位置には一条の受け部７が突設されている。タブ２は金属板の幅方向両端部を板厚方向に折り返してその折り返しの端縁同士を向き合わせることで二枚重ねされた形態であって、その向き合わせ端８を接点部６側に向けつつ本体部３内に挿入される。そして、本体部３内に前方からタブ２が挿入されると、このタブ２によって弾性接触片５が撓み変形され、接点部６と受け部７との間にタブ２が弾接状態で支持されて、両端子金具が導通可能な状態となる。
【特許文献１】特開２００５−４４５９８公報
【発明の開示】
【発明が解決しようとする課題】
【０００３】
ところで、タブ２が本体部３内に正規挿入されると、接点部６は、タブ２の向き合わせ端８におけるエッジ９にその突曲面を点接触させてタブ２との接続をとる。そうすると、例えば、振動によって本体部３内でタブ２が遊動したときに、前記エッジ９により接点部６に筋がついたりして、接触安定性が損なわれるおそれがある。  
本発明は上記のような事情に基づいて完成されたものであって、タブとの接触安定性を確保することを目的とする。
【課題を解決するための手段】
【０００４】
上記の目的を達成するための手段として、請求項１の発明は、相手側のタブを挿入可能な箱形の本体部を備え、前記本体部内には前記タブに接触可能な接点部を突成した接触片が設けられ、前記タブは、金属板の幅方向両端部を板厚方向に折り返してその折り返しの端縁同士を向き合わせた形態とされ、かつ、その向き合わせ端を前記接点部側へ向けつつ前記本体部に挿入されるものであって、前記接点部は、前記タブが前記本体部に正規挿入されたときに、前記向き合わせ端を跨ぎつつ前記タブに対してフラットに当たり合う構成としたところに特徴を有する。
【０００５】
請求項２の発明は、請求項１に記載のものにおいて、前記接点部は前記タブの幅方向中央部に当接され、前記本体部の内面のうち前記タブを挟んで前記接点部と対向する内面には、前記タブをその幅方向両側部にて当接支持する一対の受け部が突設されているところに特徴を有する。  
請求項３の発明は、請求項１または請求項２に記載のものにおいて、前記接点部の前記平坦面は、前記タブの挿入始端から挿入終端にかけて次第に幅広に形成されるところに特徴を有する。
【発明の効果】
【０００６】
＜請求項１の発明＞
接触片の接点部がタブの向き合わせ端を跨ぎつつタブに対してフラットに当たり合うから、振動によって本体部内でタブが遊動しても、向き合わせ端におけるエッジによって接点部に筋がつくのを防止できる。その結果、接触安定性が良好となる。
【０００７】
＜請求項２の発明＞
タブは、その幅方向中央部で接点部と当接するから、振動によって接点部を中心として軸周りに振動することが懸念される。しかるにタブは、接点部側と反対側面においてその幅方向両側部を一対の受け部によって当接支持されているから、軸周りに振動するのを防止でき、接点部とタブとがフラットに当たり合う状態を保つことができる。  
＜請求項３の発明＞
接点部の平坦面がタブの挿入始端から挿入終端にかけて次第に幅広に形成されるから、タブの挿入初期における挿入抵抗を減ずることができて作業性が良好となる一方、タブの挿入完了後はタブとの間に安定した接触状態を確保することができる。
【発明を実施するための最良の形態】
【０００８】
＜実施形態１＞
本発明の実施形態１を図１ないし図４によって説明する。本実施形態の端子金具は、相手側の雄端子金具６０のタブ６１を挿入可能な箱形の本体部１１を備えた雌端子金具１０であって、本体部１１内には弾性接触片１２（本発明における接触片）が撓み変形可能に配置されている。なお、以下において前後方向については、タブ６１の挿入が開始される側を前方として説明する。
【０００９】
相手側の雄端子金具６０は導電性の金属板を曲げ加工等して形成され、全体は図示しないが先端にタブ６１を有し、タブ６１は前後方向に延出して形成される。詳しくはタブ６１は、図２に示すように、金属製の板片をその左右両端部から板厚方向に折り返してその折り返しの端縁同士を向き合わせた（突き合わせた）形態であり、基壁６２とそこに折り重なる左右一対の覆い壁６３とを連ねて構成される。タブ６１において両覆い壁６３同士の向き合わせ端６４はタブ６１の幅方向略中央に配され、基壁６２には向き合わせ端６４側へ向かって下から叩き出された支持台６５が突出して設けられている。基壁６２と覆い壁６３との間には支持台６５の突出量に相当する間隔があけられている。そして、向き合わせ端６４の上部は、上方（タブ６１が本体部１１内に挿入されたときに弾性接触片１２の位置する側）に向かって拡開するテーパ面６６とされ、このテーパ面６６と覆い壁６３の上面とが連なる角部は鈍角のエッジ６７となっている。
【００１０】
雌端子金具１０は同じく導電性の金属板を曲げ加工等して形成され、図３に示すように、前から順に、本体部１１、ワイヤバレル１３、インシュレーションバレル１４が一体に連成されている。ワイヤバレル１３は、図示しない電線の端末芯線にかしめ付けられ、インシュレーションバレル１４は、電線の端末被覆または電線に外嵌されたゴム栓にかしめ付けられる。
【００１１】
本体部１１は、前後方向に細長い角筒状をなして前面がタブ挿通口４１として開口され、相対向する二対の側壁１５，１６，１７，１８によって四方を取り囲んで構成される。詳しくは本体部１１は、第１側壁１５（図１における下壁）と、第１側壁１５の両側端から立ち上げられた第２側壁１６（図１における向かって左側の側壁）および第３側壁１７（図１における向かって右側の側壁）と、第２側壁１６の立ち上げ端から第３側壁１７の立ち上げ端に向かって折り曲げられて両側壁１６，１７間を架橋する第４側壁１８とからなる。第３側壁１７にはスタビライザ１９が第４側壁１８より上に突き出るよう起立して設けられている。スタビライザ１９は、図示しないコネクタハウジングのキャビティ内にこの雌端子金具１０を挿入する際に雌端子金具１０の挿入動作を案内するとともにキャビティに対する雌端子金具１０の誤挿入を防止する役割を果たす。そして、スタビライザ１９は、その頂部を境に第４側壁１８側へ折り返されることで断面略Ｖの字をなし、その前端縁には図示しない導通検査用の治具が前方から当接可能となっている。
【００１２】
第１側壁１５の内面には、下からの叩き出しによって本体部１１内に向かって突出する左右一対の受け部２１が形成されている。詳しくは受け部２１は、第１側壁１５の幅方向両側に二条が並んで配置されており、断面弧状であって前後方向に延出する形態とされる。また、受け部２１は、前半部に後方へ向かって緩傾斜の昇り勾配となる第１斜面部２２を有する一方、後半部に後方へ向かって第１斜面部２２より急傾斜の下り勾配となる第２斜面部２３を有し、さらに両斜面部２２，２３の間となる中間部に略水平に配された水平部２４を有する。
【００１３】
第４側壁１８の前端には略帯板状の弾性接触片１２が一体に連結されている。詳しくは弾性接触片１２は、本体部１１内において第４側壁１８の前端から回曲されたあと後方へ向かって折り返された形態とされる。そして、弾性接触片１２は、側面視によれば略山形に形成され、タブ６１が挿抜されるのに伴い、山の頂部２５を上下動させながら上下方向（高さ方向）に撓み変形可能とされる。また、弾性接触片１２は、図４に示すように、平面視によれば頂部２５付近を境とした後部２６側が前部２７側より幅寸法が小さくなっており、中間部２８には前部２７側から後部２６側にかけて次第に縮幅されたテーパ状の側縁部２９が形成されている。第４側壁１８には弾性接触片１２の頂部２５側へ向かって突片部３１が切り起こしにより形成されており、この突片部３１によって弾性接触片１２が過度に撓み変形するのを規制可能としてある。
【００１４】
さて、弾性接触片１２の前後方向中間部、詳しくは弾性接触片１２の頂部２５には、タブ６１に対する接点部３２が、受け部２１側へ向かって突成されている。接点部３２は、前端側（タブ６１の挿入始端側）から後方（タブ６１の挿入後端側）へ向かって次第に幅広となる扇部３３と、後端縁を円弧状に縁取る円弧部３４とを、前後で一体に連ねた形態とされる。そして、接点部３２の下面（受け部２１側を向く面）は前端から後方へ向かって斜めに切られた平坦面３５とされており、接点部３２は、この平坦面３５でタブ６１に対して当たり合うようになっている。弾性接触片１２の平坦面３５は、扇部３３側では前端から後方へ向かって次第に幅広となる形態であり、円弧部３４側ではその円弧と平行な円弧状の外縁によって縁取られた形態である。
なお、弾性接触片１２が自然状態にあるときに、接点部３２の平坦面３５と、受け部２１の頂点６８間をつなげる水平面との離間距離は、タブ６１の厚みより小さく設定されている。また、雌雄の両端子金具１０，６０が正規接続状態にあるときに、タブ６１と接点部３２との接続領域、およびタブ６１と受け部２１との接続領域は、いずれもタブ６１の幅方向中心軸を中心として対称状態で配置される。
【００１５】
続いて、本実施形態の作用を説明する。  
ここでは、図示しない雌雄の両コネクタハウジングの嵌合動作に伴って両コネクタハウジング内に収容された雌雄の両端子金具１０，６０の接続動作が開始される。両コネクタハウジングの嵌合初期では、本体部１１に対してタブ挿通口４１からタブ６１が軸方向に沿って挿入される。このとき、タブ６１は諸事情によりその向き合わせ端６４を弾性接触片１２側（接点部３２側）へ向けた状態で挿入される。挿入途中ではタブ６１が受け部２１の頂点６８に摺接しつつ接点部３２の平坦面３５に突き当たり、弾性接触片１２が第４側壁１８側へ撓み変形される。さらに両コネクタハウジングの嵌合動作が進められると、タブ６１が接点部３２の平坦面３５に摺接しつつ弾性接触片１２の撓み量が増していく。ここで、接点部３２の平坦面３５はタブ６１の挿入深さが増すにつれ徐々に幅広となることに起因し、挿入初期におけるタブ６１の挿入抵抗は実質的に低いものとなる。
【００１６】
両コネクタハウジングの嵌合過程で、および両コネクタハウジングの嵌合完了後（正規嵌合状態）で、タブ６１は、その一面側では幅方向中央部において接点部３２と弾接状態で当接される一方、その他面側では支持台６５を挟んだ幅方向両側部において受け部２１と当接支持される。両コネクタハウジングが正規嵌合されて、雌雄の両端子金具１０，６０が正規深さで接続されると、接点部３２は、タブ６１の向き合わせ端６４を跨いでタブ６１に対して平坦面３５でフラットに当たり合い、かつその状態を維持する。詳しくは接点部３２の平坦面３５は、幅方向について同じ高さ位置で連なり、同じく向き合わせ端６４を挟んで幅方向について同じ高さ位置で連なるタブ６１（覆い壁６３）の上面と、向き合わせ端６４によるエッジ６７作用を効かせることなく、幅方向について線接触状態で当接する。また、接点部３２は、タブ６１の挿入終端にあっては扇部３３のうち幅寸法が大なる部分でタブ６１と安定的に当たり合うこととなる。
【００１７】
上述したように本実施形態によれば、弾性接触片１２の接点部３２がタブ６１の向き合わせ端６４を跨ぎつつタブ６１に対してフラットに当たり合うから、振動によって本体部１１内でタブ６１が遊動しても、向き合わせ端６４におけるエッジ６７によって接点部３２に筋がついたりして傷付くのを防止できる。その結果、接触安定性が良好となる。
【００１８】
また、タブ６１は、その幅方向中央部で接点部３２と当接するから、振動によって接点部３２を中心として軸周りに振動ないし回動することが懸念されるところであるが、本実施形態におけるタブ６１は、接点部３２側と反対側面においてその幅方向両側部を一対の受け部２１によって当接支持されるから、軸周りに振動等するのを防止でき、接点部３２とタブ６１とがフラットに当たり合う状態を確実に保つことができる。  
さらに、接点部３２の平坦面３５がタブ６１の挿入始端から挿入終端にかけて次第に幅広に形成されるから、タブ６１の挿入初期における挿入抵抗を減ずることができて作業性が良好となる一方、タブ６１の挿入完了後はタブ６１との間に安定した接触状態を確保することができる。
【００１９】
＜他の実施形態＞
本発明は上記記述及び図面によって説明した実施形態に限定されるものではなく、例えば次のような実施形態も本発明の技術的範囲に含まれる。  
（１）本発明によれば、受け部は、本体部の内面において接点部と対向する位置に１つのみ設けられるものであってもよい。  
（２）本発明によれば、接点部の平坦面は前後方向に同幅をもって全長に亘って連なっていてもよい。  
（３）本発明によれば、タブの向き合わせ端はタブの幅方向中心から偏心した位置にあってもよい。  
（４）本発明によれば、弾性接触片はその両端が本体部側に支持された両持ち梁状をなしていてもよい。
【図面の簡単な説明】
【００２０】
【図１】実施形態１の雌端子金具の正面図
【図２】タブと正規接続状態にある雌端子金具の正面図
【図３】タブと正規接続状態にある雌端子金具の側断面図
【図４】弾性接触片の部分拡大平面図
【図５】従来の雌端子金具の正面図
【符号の説明】
【００２１】
１０…雌端子金具
１１…本体部
１２…弾性接触片（接触片）
２１…受け部
３２…接点部
３５…平坦面
６１…タブ
６４…向き合わせ端
６７…エッジ
【図１】
2008117554.tif 000003
【図２】
2008117554.tif 000004
【図３】
2008117554.tif 000005
【図４】
2008117554.tif 000006
【図５】
2008117554.tif 000007